(57)【特許請求の範囲】
【請求項１】
方法であって、
１つまたは複数のコンピューティング・デバイスによって、ユーザが見ることができる複数のビデオを特定すること、
１つまたは複数のコンピューティング・デバイスによって、前記複数のビデオのうちのそれぞれに関して、
複数の係数要素のそれぞれについて係数値を特定することであって、前記複数の係数要素が、前記ビデオを現在見ているその他のユーザのうちでソーシャルネットワーキング・システム内でユーザにつながっているその他のユーザの数、前記ソーシャルネットワーキング・システム内での前記ユーザへのつながりとは無関係の前記ビデオを現在見ているユーザの数、前記ビデオの即時性、および、ユーザが前記ビデオを見ることのエンティティにとっての現在の価値を含む、前記係数値を特定すること、
複数の係数要素の各々の係数値に基づいてビデオ係数を計算すること、
１つまたは複数のコンピューティング・デバイスによって、複数のビデオを複数のビデオのビデオ係数に基づいてランク付けすること、
１つまたは複数のコンピューティング・デバイスによって、複数のビデオのランキングをユーザへの提示のために提供することを備える、方法。
【請求項２】
前記ビデオの即時性は、前記ビデオがユーザによって見ることができるようになるまでに残っている時間を識別する、請求項１に記載の方法。
【請求項３】
前記ユーザおよびその他のユーザは、
複数のノードと、複数のノードをつなげるエッジとを有するグラフを含むソーシャルネットワーキング・システムのユーザであり、
前記グラフ内の少なくとも１つのノードが、ユーザに対応し、
前記グラフ内の少なくとも１つのノードが、その他のユーザのうちの１人または複数のそれぞれに対応し、
ユーザへの別のユーザのつながりは、
１つまたは複数のエッジによって互いにつながっている、ユーザに対応するグラフ内の少なくとも１つのノードと、その他のユーザに対応する少なくとも１つのノードとを含む、請求項１に記載の方法。
【請求項４】
前記複数の係数要素が、ユーザがビデオを見ることに対応しない値を有する少なくとも一つの係数要素をさらに含む、請求項１に記載の方法。
【請求項５】
前記ユーザがビデオを見ることに対応しない値を有する前記少なくとも一つの係数要素が、
ソーシャルネットワーキング・システム内でユーザにつながっているその他のユーザのうちで、前記ビデオに対して「いいね！」を表明したその他のユーザの数、
前記ソーシャルネットワーキング・システム内でのユーザへのつながりとは無関係の、前記ビデオに対して「いいね！」を表明したその他のすべてのユーザの数、
前記ビデオに関連したユーザのアクションのトレンド、または
ユーザの１つまたは複数の好みに基づく嗜好要素を含む、請求項４に記載の方法。
【請求項６】
ユーザおよびその他のユーザは、
複数のノードと、複数のノードをつなげるエッジと有するグラフを含むソーシャルネットワーキング・システムのユーザであり、
前記グラフ内の少なくとも１つのノードが、ユーザに対応し、
前記グラフ内の少なくとも１つのノードが、その他のユーザのうちの１人または複数のそれぞれに対応し、
ユーザへの別のユーザのつながりは、
１つまたは複数のエッジによって互いにつながっている、ユーザに対応する前記グラフ内の少なくとも１つのノードと、その他のユーザに対応する少なくとも１つのノードとを含む、請求項５に記載の方法。
【請求項７】
前記ユーザが、複数のノードと、複数のノードをつなげるエッジとを有するグラフを含むソーシャルネットワーキング・システムのユーザであり、
前記グラフ内の少なくとも１つのノードが、ユーザに対応し、
前記嗜好要素が基づく好みのうちの少なくとも１つが、前記ソーシャルネットワーキング・システム内の複数のノードまたはエッジのうちの少なくとも１つに関連付けられている情報から特定される、請求項５に記載の方法。
【請求項８】
前記複数のビデオのうちの少なくとも１つが、テレビジョン番組を含む、請求項１に記載の方法。
【請求項９】
前記テレビジョン番組が、ライブ・テレビジョン番組である、請求項８に記載の方法。
【請求項１０】
前記ビデオ係数を計算するために用いられる前記複数の係数要素は、
前記テレビジョン番組を現在見ているその他のユーザのうちで、ソーシャルネットワーキング・システム内でユーザにつながっているその他のユーザの数を含む少なくとも１つの第１の係数要素と、
ソーシャルネットワーキング・システム内でのユーザへのつながりとは無関係の、前記テレビジョン番組を現在見ているその他のすべてのユーザの数を含む少なくとも１つの第２の係数要素と、
前記テレビジョン番組の即時性を含む少なくとも１つの第３の係数要素と、
ユーザが前記テレビジョン番組を見ることの、エンティティにとっての現在の価値を含む少なくとも１つの第４の係数要素と、
ソーシャルネットワーキング・システム内でユーザにつながっているその他のユーザのうちで、前記テレビジョン番組に対して「いいね！」を表明したその他のユーザの数を含む少なくとも１つの第５の係数要素と、
前記ソーシャルネットワーキング・システム内でのユーザへのつながりとは無関係の、前記テレビジョン番組に対して「いいね！」を表明したその他のすべてのユーザの数を含む少なくとも１つの第６の係数要素と、
前記ビデオに関連したユーザのアクションのトレンドを含む少なくとも１つの第７の係数要素と、
ユーザに関連付けられているソーシャルネットワーキング情報に基づく、ユーザに対する前記テレビジョン番組の関連度を含む少なくとも１つの第８の係数要素とを含み、
それぞれの係数要素が、関連付けられている重みを有し、
前記複数の係数要素の係数値に基づいてビデオ係数を計算することは、
係数要素の関連付けられている重みが乗算されたそれぞれの係数要素の値の線形結合を使用して前記ビデオ係数を計算することを含む、請求項８に記載の方法。
【請求項１１】
１つまたは複数の非一時的なコンピュータ可読記憶媒体であって、
実行されたときに、
ユーザが見ることができる複数のビデオを特定すること、
前記複数のビデオのうちのそれぞれに関して、
複数の係数要素のそれぞれについて係数値を特定することであって、前記複数の係数要素が、前記ビデオを現在見ているその他のユーザのうちでソーシャルネットワーキング・システム内で前記ユーザにつながっているその他のユーザの数、前記ソーシャルネットワーキング・システム内でのユーザへのつながりとは無関係のユーザの数、前記ビデオの即時性、および、ユーザが前記ビデオを見ることのエンティティにとっての現在の価値を含む、前記係数値を特定すること、
前記複数の係数要素の各々の係数値に基づいてビデオ係数を計算すること、
前記複数のビデオを前記複数のビデオのビデオ係数に基づいてランク付けすること、
前記複数のビデオのランキングをユーザへの提示のために提供すること、を実行するように動作可能なソフトウェアを実装する１つまたは複数の非一時的なコンピュータ可読記憶媒体。
【請求項１２】
前記ビデオの即時性は、前記ビデオがユーザによって見ることができるようになるまでに残っている時間を識別する、請求項１１に記載の１つまたは複数の非一時的なコンピュータ可読記憶媒体。
【請求項１３】
ユーザおよびその他のユーザが、複数のノードと、複数のノードをつなげるエッジとからなるグラフを含むソーシャルネットワーキング・システムのユーザであり、
グラフ内の少なくとも１つのノードが、ユーザに対応し、
前記グラフ内の少なくとも１つのノードが、その他のユーザのうちの１人または複数のそれぞれに対応し、
ユーザへの別のユーザのつながりは、
１つまたは複数のエッジによって互いにつながっている、ユーザに対応する前記グラフ内の少なくとも１つのノードと、その他のユーザに対応する少なくとも１つのノードとを含む、請求項１１に記載の１つまたは複数の非一時的なコンピュータ可読記憶媒体。
【請求項１４】
前記複数の係数要素が、ユーザが前記ビデオを見ることに対応しない値を有する少なくとも一つの係数要素をさらに含む、請求項１１に記載の１つまたは複数の非一時的なコンピュータ可読記憶媒体。
【請求項１５】
前記ユーザがビデオを見ることに対応しない値を有する前記少なくとも１つの係数要素が、
ソーシャルネットワーキング・システム内でユーザにつながっているその他のユーザのうちで、前記ビデオに対して「いいね！」を表明したその他のユーザの数、
前記ソーシャルネットワーキング・システム内でのユーザへのつながりとは無関係の、前記ビデオに対して「いいね！」を表明したその他のすべてのユーザの数、
前記ビデオに関連したユーザのアクションのトレンド、または
ユーザの１つまたは複数の好みに基づく嗜好要素を含む、請求項１４に記載の１つまたは複数の非一時的なコンピュータ可読記憶媒体。
【請求項１６】
ユーザおよびその他のユーザは、
複数のノードと、複数のノードをつなげるエッジとを有するグラフを含むソーシャルネットワーキング・システムのユーザであり、
前記グラフ内の少なくとも１つのノードが、ユーザに対応し、
前記グラフ内の少なくとも１つのノードが、その他のユーザのうちの１人または複数のそれぞれに対応し、
ユーザへの別のユーザのつながりは、
１つまたは複数のエッジによって互いにつながっている、ユーザに対応する前記グラフ内の少なくとも１つのノードと、その他のユーザに対応する少なくとも１つのノードとを含む、請求項１５に記載の１つまたは複数の非一時的なコンピュータ可読記憶媒体。
【請求項１７】
前記ユーザが、複数のノードと、複数のノードをつなげるエッジとを含むグラフを含むソーシャルネットワーキング・システムのユーザであり、
前記グラフ内の少なくとも１つのノードが、ユーザに対応し、
前記嗜好要素が基づく好みのうちの少なくとも１つが、前記ソーシャルネットワーキング・システム内の複数のノードまたはエッジのうちの少なくとも１つに関連付けられている情報から特定される、請求項１５に記載の１つまたは複数の非一時的なコンピュータ可読記憶媒体。
【請求項１８】
前記複数のビデオのうちの少なくとも１つが、テレビジョン番組を含む、請求項１１に記載の１つまたは複数の非一時的なコンピュータ可読記憶媒体。
【請求項１９】
前記ビデオ係数を計算するために用いられる前記複数の係数要素は、
テレビジョン番組を現在見ているその他のユーザのうちで、ソーシャルネットワーキング・システム内でユーザにつながっているその他のユーザの数を含む少なくとも１つの第１の係数要素と、
前記ソーシャルネットワーキング・システム内でのユーザへのつながりとは無関係の、前記テレビジョン番組を現在見ているその他のすべてのユーザの数を含む少なくとも１つの第２の係数要素と、
前記テレビジョン番組の即時性を含む少なくとも１つの第３の係数要素と、
ユーザが前記テレビジョン番組を見ることの、エンティティにとっての現在の価値を含む少なくとも１つの第４の係数要素と、
ソーシャルネットワーキング・システム内でユーザにつながっているその他のユーザのうちで、前記テレビジョン番組に対して「いいね！」を表明したその他のユーザの数を含む少なくとも１つの第５の係数要素と、
前記ソーシャルネットワーキング・システム内でのユーザへのつながりとは無関係の、前記テレビジョン番組に対して「いいね！」を表明したその他のすべてのユーザの数を含む少なくとも１つの第６の係数要素と、
前記ビデオに関連したユーザのアクションのトレンドを含む少なくとも１つの第７の係数要素と、
ユーザに関連付けられているソーシャルネットワーキング情報に基づく、ユーザに対する前記テレビジョン番組の関連度を含む少なくとも１つの第８の係数要素とを含み、
それぞれの係数要素が、関連付けられている重みを有し、
実行されたときに、前記複数の係数要素の係数値に基づいてビデオ係数を計算することを実行するように動作可能なソフトウェアは、
実行されたときに、係数要素の関連付けられている重みが乗算されたそれぞれの係数要素の値の線形結合を使用して前記ビデオ係数を計算することを実行するように動作可能なソフトウェアを含む、請求項１１に記載の１つまたは複数の非一時的なコンピュータ可読記憶媒体。
【請求項２０】
システムであって、
１つまたは複数のプロセッサと、
前記１つまたは複数のプロセッサに結合され、且つ前記１つまたは複数のプロセッサによって実行可能な命令を含むメモリとを備えるシステムにおいて、前記１つまたは複数のプロセッサが、前記命令を実行したときに、
ユーザが見ることができる複数のビデオを特定すること、
前記複数のビデオのうちのそれぞれに関して、
複数の係数要素のそれぞれについて係数値を特定することであって、前記複数の係数要素が、前記ビデオを現在見ているその他のユーザのうちでソーシャルネットワーキング・システム内で前記ユーザにつながっているその他のユーザの数、前記ソーシャルネットワーキング・システム内でのユーザへのつながりとは無関係のユーザの数、前記ビデオの即時性、および、ユーザが前記ビデオを見ることのエンティティにとっての現在の価値を含む、前記係数値を特定すること、
前記複数の係数要素の各々の係数値に基づいてビデオ係数を計算すること、
前記複数のビデオを該複数のビデオのビデオ係数に基づいてランク付けすること、
前記複数のビデオのランキングをユーザへの提示のために提供すること、を実行するように動作可能である、システム。
【発明の詳細な説明】
【技術分野】
【０００１】
本開示は一般に、電子コンテンツをランク付けすることに関する。
【背景技術】
【０００２】
ある個人が、複数のビデオのうちの１つを見ることに関心を抱く場合がある。時には、その個人は、自分が見たいビデオを事前に知っておらず、またあるときには、その個人は、自分がどのビデオを見たいかを知っているが、そのビデオを可能な選択肢の中から選択しなければならない。いずれのケースにおいても、その個人にとって現在利用可能な（または今後利用可能となる）ビデオが、それらのビデオの任意の対応する説明とともに、何らかの論理的なフォーマットに従って、その個人に提示される。たとえば、ＴＶガイドは、ユーザにとって利用可能な番号順のＴＶチャネルによって編成されたビデオと、それらのビデオが放送されることになる時刻とを提示する。
【発明の概要】
【課題を解決するための手段】
【０００３】
特定の実施形態においては、ユーザが見ることができるビデオは、さまざまな要素に基づいてランク付けされる。それらの要素は、ユーザがそのビデオを見ることに対応するであろう要素を含む場合がある。たとえば、対応係数要素は、ビデオがユーザにとって利用可能になるまでの時間の長さ、表示されているビデオに関連付けられている現在のマネタイゼーション、そのビデオを現在見ているユーザの数、または、そのビデオを現在見ているユーザのうちで、そのビデオがランク付けされている対象のユーザにソーシャルネットワーキング・システム内でつながっているユーザの数を含む。ビデオをランク付けするためのその他の要素は、非対応係数要素である場合がある。たとえば、非対応係数要素は、ユーザの１つまたは複数の好みに基づく嗜好要素、そのビデオに関連しているユーザのアクションのトレンド、ビデオに対して「いいね！」を表明したユーザの数、または、ビデオに対して「いいね！」を表明したユーザのうちで、そのビデオがランク付けされている対象のユーザにソーシャルネットワーキング・システム内でつながっているユーザの数を含む。ビデオに関する係数要素が特定された後には、それぞれの係数要素が重み付けされ、それらの重みおよび係数要素を使用してそのビデオに関するランキングが特定される。たとえば、ビデオ係数は、複数の係数要素のそれぞれの重みが乗算された複数の係数要素の線形結合である。ビデオがランク付けされると、それらのランク付けされたビデオまたはそれらのビデオの一部分は、ビデオのランクに対応するか、またはビデオのランクを通信する方式でユーザに提示される。
【図面の簡単な説明】
【０００４】
【図１】ソーシャルネットワーキング・システムに関連付けられている例示的なネットワーク環境を示す図。
【図２】例示的なソーシャル・グラフを示す図。
【図３】クライアント・コンピューティング・デバイスのユーザが見ることができるビデオをランク付けするための例示的な方法を示す図。
【図４】例示的なコンピュータ・システムを示す図。
【発明を実施するための形態】
【０００５】
図１は、ソーシャルネットワーキング・システムに関連付けられている例示的なネットワーク環境１００を示している。ネットワーク環境１００は、ネットワーク１１０によって互いにつながっているクライアント・システム１３０、ソーシャルネットワーキング・システム１６０、およびサードパーティ・システム１７０を含む。図１は、クライアント・システム１３０、ソーシャルネットワーキング・システム１６０、サードパーティ・システム１７０、およびネットワーク１１０の特定の構成を示しているが、本開示は、クライアント・システム１３０、ソーシャルネットワーキング・システム１６０、サードパーティ・システム１７０、およびネットワーク１１０の任意の適切な構成を想定している。限定ではなく、例として、クライアント・システム１３０、ソーシャルネットワーキング・システム１６０、およびサードパーティ・システム１７０のうちの複数は、ネットワーク１１０を迂回して、互いに直接つながることが可能である。別の例として、クライアント・システム１３０、ソーシャルネットワーキング・システム１６０、およびサードパーティ・システム１７０のうちの複数は、物理的にまたは論理的に、全体としてまたは部分的に互いに同一場所に配置されることが可能である。その上、図１は、特定の数のクライアント・システム１３０、ソーシャルネットワーキング・システム１６０、サードパーティ・システム１７０、およびネットワーク１１０を示しているが、本開示は、任意の適切な数のクライアント・システム１３０、ソーシャルネットワーキング・システム１６０、サードパーティ・システム１７０、およびネットワーク１１０を想定している。限定ではなく、例として、ネットワーク環境１００は、複数のクライアント・システム１３０、ソーシャルネットワーキング・システム１６０、サードパーティ・システム１７０、およびネットワーク１１０を含むことができる。
【０００６】
本開示は、任意の適切なネットワーク１１０を想定している。限定ではなく、例として、ネットワーク１１０の１つまたは複数の部分は、アド・ホック・ネットワーク、イントラネット、エクストラネット、仮想プライベート・ネットワーク（ＶＰＮ）、ローカル・エリア・ネットワーク（ＬＡＮ）、ワイヤレスＬＡＮ（ＷＬＡＮ）、ワイド・エリア・ネットワーク（ＷＡＮ）、ワイヤレスＷＡＮ（ＷＷＡＮ）、メトロポリタン・エリア・ネットワーク（ＭＡＮ）、インターネットの一部分、公衆交換電話網（ＰＳＴＮ）の一部分、セルラー電話ネットワーク、またはこれらのうちの複数の組合せを含むことができる。ネットワーク１１０は、１つまたは複数のネットワーク１１０を含むことができる。
【０００７】
リンク１５０は、クライアント・システム１３０、ソーシャルネットワーキング・システム１６０、およびサードパーティ・システム１７０を通信ネットワーク１１０に、または互いに接続することができる。本開示は、任意の適切なリンク１５０を想定している。特定の実施形態においては、１つまたは複数のリンク１５０は、１つもしくは複数の有線リンク（たとえば、デジタル・サブスクライバ・ライン（ＤＳＬ）もしくはデータ・オーバ・ケーブル・サービス・インタフェース仕様（ＤＯＣＳＩＳ）など）、ワイヤレス・リンク（たとえば、Ｗｉ−Ｆｉもしくはワールドワイド・インターオペラビリティー・フォー・マイクロウェーブ・アクセス（ＷｉＭＡＸ）など）、または光リンク（たとえば、同期光ネットワーク（ＳＯＮＥＴ）もしくは同期デジタル階層（ＳＤＨ）など）を含む。特定の実施形態においては、１つまたは複数のリンク１５０はそれぞれ、アド・ホック・ネットワーク、イントラネット、エクストラネット、ＶＰＮ、ＬＡＮ、ＷＬＡＮ、ＷＡＮ、ＷＷＡＮ、ＭＡＮ、インターネットの一部分、ＰＳＴＮの一部分、セルラー・テクノロジーベースのネットワーク、衛星通信テクノロジーベースのネットワーク、別のリンク１５０、または複数のそのようなリンク１５０の組合せを含む。リンク１５０は、ネットワーク環境１００の全体を通じて必ずしも同じである必要はない。１つまたは複数の第１のリンク１５０は、１つまたは複数の点において１つまたは複数の第２のリンク１５０とは異なることが可能である。
【０００８】
特定の実施形態においては、クライアント・システム１３０は、クライアント・システム１３０によって実装またはサポートされる適切な機能を実行することができる、ハードウェア、ソフトウェア、もしくは組み込みロジック・コンポーネント、または複数のそのようなコンポーネントの組合せを含む電子デバイスであることが可能である。限定ではなく、例として、クライアント・システム１３０は、デスクトップ・コンピュータ、ノートブック・コンピュータもしくはラップトップ・コンピュータ、ネットブック、タブレット・コンピュータなどのコンピュータ・システム、ｅブック・リーダ、ＧＰＳデバイス、カメラ、携帯情報端末（ＰＤＡ）、ハンドヘルド電子デバイス、セルラー電話、スマートフォン、その他の適切な電子デバイス、またはそれらの任意の適切な組合せを含むことができる。本開示は、任意の適切なクライアント・システム１３０を想定している。クライアント・システム１３０は、クライアント・システム１３０のネットワーク・ユーザがネットワーク１１０にアクセスすることを可能にすることができる。クライアント・システム１３０は、自分のユーザがその他のクライアント・システム１３０のその他のユーザと通信することを可能にすることができる。
【０００９】
特定の実施形態においては、クライアント１３０は、ＭＩＣＲＯＳＯＦＴ  ＩＮＴＥＲＮＥＴ  ＥＸＰＬＯＲＥＲ、ＧＯＯＧＬＥ  ＣＨＲＯＭＥ、またはＭＯＺＩＬＬＡ  ＦＩＲＥＦＯＸなどのウェブ・ブラウザ１３２を含むことができ、１つまたは複数のアドオン、プラグイン、またはＴＯＯＬＢＡＲもしくはＹＡＨＯＯ  ＴＯＯＬＢＡＲなどのその他の拡張を有することができる。クライアント・システム１３０のユーザは、ウェブ・ブラウザ１３２を特定のサーバ（サーバ１６２、またはサードパーティ・システム１７０に関連付けられているサーバなど）へ導くユニフォーム・リソース・ロケータ（ＵＲＬ）またはその他のアドレスを入力することができ、ウェブ・ブラウザ１３２は、ハイパー・テキスト転送プロトコル（ＨＴＴＰ）要求を生成して、そのＨＴＴＰ要求をサーバに通信することができる。サーバは、そのＨＴＴＰ要求を受け入れて、そのＨＴＴＰ要求に応答して１つまたは複数のハイパー・テキスト・マークアップ言語（ＨＴＭＬ）ファイルをクライアント・システム１３０に通信することができる。クライアント・システム１３０は、ユーザに提示するためにサーバからのＨＴＭＬファイルに基づいてウェブページをレンダリングすることができる。本開示は、任意の適切なウェブページ・ファイルを想定している。限定ではなく、例として、ウェブページは、特定のニーズに従って、ＨＴＭＬファイル、拡張可能ハイパー・テキスト・マークアップ言語（ＸＨＴＭＬ）ファイル、または拡張可能マークアップ言語（ＸＭＬ）ファイルからレンダリングすることができる。そのようなページは、限定ではなく、例として、ＪＡＶＡＳＣＲＩＰＴ（登録商標）、ＪＡＶＡ（登録商標）、ＭＩＣＲＯＳＯＦＴ  ＳＩＬＶＥＲＬＩＧＨＴで書かれたスクリプトなどのスクリプト、ＡＪＡＸ（Ａｓｙｎｃｈｒｏｎｏｕｓ  ＪＡＶＡＳＣＲＩＰＴ（登録商標）  ａｎｄ  ＸＭＬ）などのマークアップ言語とスクリプトの組合せなどを実行することもできる。本明細書においては、ウェブページへの参照は、適切な場合には、（そのウェブページをレンダリングするためにブラウザが使用することができる）１つまたは複数の対応するウェブページ・ファイルを含み、その逆もまた同様である。
【００１０】
特定の実施形態においては、ソーシャルネットワーキング・システム１６０は、オンライン・ソーシャル・ネットワークをホストすることができるネットワークアドレス可能なコンピューティング・システムであることが可能である。ソーシャルネットワーキング・システム１６０は、たとえば、ユーザプロフィール・データ、コンセプトプロフィール・データ、ソーシャルグラフ情報、またはオンライン・ソーシャル・ネットワークに関連したその他の適切なデータなどのソーシャルネットワーキング・データを生成すること、格納すること、受け取ること、および送信することが可能である。ソーシャルネットワーキング・システム１６０は、ネットワーク環境１００のその他のコンポーネントによって直接、またはネットワーク１１０を介してアクセスされることが可能である。特定の実施形態においては、ソーシャルネットワーキング・システム１６０は、１つまたは複数のサーバ１６２を含むことができる。それぞれのサーバ１６２は、単一のサーバ、または複数のコンピュータもしくは複数のデータセンターにわたる分散サーバであることが可能である。サーバ１６２は、限定ではなく、例として、ウェブ・サーバ、ニュース・サーバ、メール・サーバ、メッセージ・サーバ、広告サーバ、ファイル・サーバ、アプリケーション・サーバ、Ｅｘｃｈａｎｇｅサーバ、データベース・サーバ、プロキシ・サーバ、本明細書において記述されている機能もしくはプロセスを実行するのに適している別のサーバ、またはそれらの任意の組合せなど、さまざまなタイプのものであることが可能である。特定の実施形態においては、それぞれのサーバ１６２は、サーバ１６２によって実装またはサポートされる適切な機能を実行するためのハードウェア、ソフトウェア、もしくは組み込みロジック・コンポーネント、または複数のそのようなコンポーネントの組合せを含むことができる。特定の実施形態においては、ソーシャルネットワーキング・システム１６０は、１つまたは複数のデータ・ストア１６４を含むことができる。データ・ストア１６４は、さまざまなタイプの情報を格納するために使用されることが可能である。特定の実施形態においては、データ・ストア１６４内に格納されている情報は、特定のデータ構造に従って編成されることが可能である。特定の実施形態においては、それぞれのデータ・ストア１６４は、リレーショナルデータベース、カラム型（columnar）データベース、相関（correlation）データベース、または他の適切なデータベースであることが可能である。本明細書は、特定のデータベースを記載または例示していないが、本明細書は、任意の適切なデータベースを想定している。特定の実施形態は、クライアント・システム１３０、ソーシャルネットワーキング・システム１６０、またはサードパーティ・システム１７０が、データ・ストア１６４内に格納されている情報を管理すること、取り出すこと、修正すること、追加すること、または削除することを可能にするインタフェースを提供することができる。
【００１１】
特定の実施形態においては、ソーシャルネットワーキング・システム１６０は、１つまたは複数のソーシャルグラフを１つまたは複数のデータ・ストア１６４内に格納することができる。特定の実施形態においては、ソーシャルグラフは、複数のノード（複数のユーザ・ノード（それぞれが、特定のユーザに対応している）、または複数のコンセプト・ノード（それぞれが、特定のコンセプトに対応している）を含むことができる）と、ノード同士をつなげる複数のエッジとを含むことができる。ソーシャルネットワーキング・システム１６０は、オンライン・ソーシャル・ネットワークのユーザに、その他のユーザと通信および対話する能力を提供することができる。特定の実施形態においては、ユーザたちは、ソーシャルネットワーキング・システム１６０を介してオンライン・ソーシャル・ネットワークに参加し、次いで、自分たちがつながりたいと望むソーシャルネットワーキング・システム１６０のその他の複数のユーザにつながり（すなわち、関係）を付加することができる。本明細書においては、「友達」という用語は、ユーザがソーシャルネットワーキング・システム１６０を介して、つながり、関連付け、または関係を形成しているソーシャルネットワーキング・システム１６０のその他の任意のユーザを指すことができる。
【００１２】
特定の実施形態においては、ソーシャルネットワーキング・システム１６０は、ソーシャルネットワーキング・システム１６０によってサポートされるさまざまなタイプのアイテムまたはオブジェクトに関してアクションを取る能力をユーザに提供することができる。限定ではなく、例として、それらのアイテムおよびオブジェクトは、ソーシャルネットワーキング・システム１６０のユーザが属することが可能であるグループもしくはソーシャル・ネットワーク、ユーザが関心を抱く可能性があるイベントもしくはカレンダー・エントリー、ユーザが使用することができるコンピュータベースのアプリケーション、ユーザがサービスを介してアイテムを購入もしくは販売することを可能にするトランザクション、ユーザが実行することができる広告との対話、またはその他の適切なアイテムもしくはオブジェクトを含むことができる。ユーザは、ソーシャルネットワーキング・システム１６０において、またはサードパーティ・システム１７０の外部システム（ソーシャルネットワーキング・システム１６０とは別個のものであって、ネットワーク１１０を介してソーシャルネットワーキング・システム１６０に結合されている）によって表されることが可能である任意のものと対話することができる。
【００１３】
特定の実施形態においては、ソーシャルネットワーキング・システム１６０は、さまざまなエンティティ同士をリンクできることが可能である。限定ではなく、例として、ソーシャルネットワーキング・システム１６０は、ユーザたちが互いに対話すること、ならびにサードパーティ・システム１７０もしくはその他のエンティティからのコンテンツを受け取ることを可能にすることができ、またはユーザたちがアプリケーション・プログラミング・インタフェース（ＡＰＩ）もしくはその他の通信チャネルを通じてこれらのエンティティと対話することを可能にすることができる。
【００１４】
特定の実施形態においては、サードパーティ・システム１７０は、１つもしくは複数のタイプのサーバ、１つもしくは複数のデータ・ストア、１つもしくは複数のインタフェース（ＡＰＩを含むが、それには限定されない）、１つもしくは複数のウェブ・サービス、１つもしくは複数のコンテンツ・ソース、１つもしくは複数のネットワーク、または（たとえば、サーバが通信することができる）その他の任意の適切なコンポーネントを含むことができる。サードパーティ・システム１７０は、ソーシャルネットワーキング・システム１６０を運営しているエンティティとは異なるエンティティによって運営されることが可能である。しかしながら、特定の実施形態においては、ソーシャルネットワーキング・システム１６０およびサードパーティ・システム１７０は、ソーシャルネットワーキング・システム１６０またはサードパーティ・システム１７０のユーザにソーシャルネットワーキング・サービスを提供するために互いに連携して機能することができる。この意味において、ソーシャルネットワーキング・システム１６０は、サードパーティ・システム１７０などのその他のシステムがインターネットを介してソーシャルネットワーキング・サービスおよび機能をユーザに提供するために使用することができるプラットフォーム、またはバックボーンを提供することができる。
【００１５】
特定の実施形態においては、サードパーティ・システム１７０は、サードパーティ・コンテンツ・オブジェクト・プロバイダを含むことができる。サードパーティ・コンテンツ・オブジェクト・プロバイダは、コンテンツ・オブジェクトの１つまたは複数のソースを含むことができ、それらのソースは、クライアント・システム１３０に通信されることが可能である。限定ではなく、例として、コンテンツ・オブジェクトは、ユーザにとって関心がある物またはアクティビティに関する情報、たとえば、映画の開始時刻、映画のレビュー、レストランのレビュー、レストランのメニュー、製品の情報およびレビュー、またはその他の適切な情報などを含むことができる。限定ではなく、別の例として、コンテンツ・オブジェクトは、インセンティブ・コンテンツ・オブジェクト、たとえば、クーポン、ディスカウント・チケット、ギフト券、またはその他の適切なインセンティブ・オブジェクトを含むことができる。
【００１６】
特定の実施形態においては、ソーシャルネットワーキング・システム１６０はまた、ユーザによって生成されたコンテンツ・オブジェクトを含み、それらのコンテンツ・オブジェクトは、ソーシャルネットワーキング・システム１６０とのユーザの対話を高めることができる。ユーザによって生成されたコンテンツは、ユーザがソーシャルネットワーキング・システム１６０に付加、アップロード、送信、または「ポスト」することができる任意のものを含むことができる。限定ではなく、例として、ユーザは、クライアント・システム１３０からソーシャルネットワーキング・システム１６０へポストを通信する。ポストは、ステータス更新もしくはその他のテキスト・データ、ロケーション情報、写真、ビデオ、リンク、音楽、またはその他の類似したデータもしくはメディアなどのデータを含むことができる。コンテンツは、ニュースフィードまたはストリームなどの「通信チャネル」を通じてサードパーティによってソーシャルネットワーキング・システム１６０に付加されることも可能である。
【００１７】
特定の実施形態においては、ソーシャルネットワーキング・システム１６０は、さまざまなサーバ、サブシステム、プログラム、モジュール、ログ、およびデータ・ストアを含むことができる。特定の実施形態においては、ソーシャルネットワーキング・システム１６０は、ウェブ・サーバ、アクション・ロガー、ＡＰＩ要求サーバ、関連性およびランキング・エンジン、コンテンツ・オブジェクト分類子、通知コントローラ、アクション・ログ、サードパーティ・コンテンツ・オブジェクト露出ログ、推測モジュール、認可／プライバシー・サーバ、検索モジュール、広告ターゲティング・モジュール、ユーザインタフェース・モジュール、ユーザプロフィール・ストア、つながりストア、サードパーティ・コンテンツ・ストア、またはロケーション・ストアのうちの１つまたは複数を含むことができる。ソーシャルネットワーキング・システム１６０は、適切なコンポーネント、たとえば、ネットワーク・インタフェース、セキュリティー・メカニズム、ロード・バランサ、フェイルオーバ・サーバ、管理およびネットワークオペレーション・コンソール、その他の適切なコンポーネント、またはそれらの任意の適切な組合せを含むこともできる。特定の実施形態においては、ソーシャルネットワーキング・システム１６０は、ユーザ・プロフィールを格納するための１つまたは複数のユーザプロフィール・ストアを含むことができる。ユーザ・プロフィールは、たとえば、経歴情報、人口統計学的情報、挙動情報、ソーシャルな情報、またはその他のタイプの記述的情報、たとえば、職業経験、学歴、趣味もしくは好み、関心、親近感、またはロケーションを含むことができる。関心情報は、１つまたは複数のカテゴリに関連した関心を含むことができる。カテゴリは、一般的または具体的であることが可能である。限定ではなく、例として、ユーザが、あるブランドの靴に関する記事に対して「いいね！」を表明した場合には、カテゴリは、そのブランド、または「靴」もしくは「衣類」という一般的なカテゴリであることが可能である。ユーザに関するつながり情報を格納するために、つながりストアが使用されることが可能である。つながり情報は、類似のもしくは共通の職業経験、グループ・メンバーシップ、趣味、学歴を有しているか、または何らかの形で関連しているか、もしくは共通の属性を共有しているユーザ同士を示すことができる。つながり情報は、さまざまなユーザおよびコンテンツ（内部および外部の両方）の間におけるユーザ定義のつながりを含むこともできる。ネットワーク１１０を介してソーシャルネットワーキング・システム１６０を１つもしくは複数のクライアント・システム１３０または１つもしくは複数のサードパーティ・システム１７０にリンクさせるために、ウェブ・サーバが使用されることが可能である。ウェブ・サーバは、ソーシャルネットワーキング・システム１６０と、１つまたは複数のクライアント・システム１３０との間においてメッセージを受け取って回送するためにメール・サーバまたはその他のメッセージング機能を含むことができる。ＡＰＩ要求サーバは、サードパーティ・システム１７０が、１つまたは複数のＡＰＩを呼び出すことによってソーシャルネットワーキング・システム１６０からの情報にアクセスすることを可能にすることができる。ソーシャルネットワーキング・システム１６０の上のまたは外のユーザのアクションに関してウェブ・サーバから通信を受け取るために、アクション・ロガーが使用されることが可能である。アクション・ログとともに、サードパーティコンテンツ・オブジェクトへのユーザの露出についてのサードパーティコンテンツオブジェクト・ログが保持されることが可能である。通知コントローラは、コンテンツ・オブジェクトに関する情報をクライアント・システム１３０に提供することができる。情報は、通知としてクライアント・システム１３０へ押し出されることが可能であり、または情報は、クライアント・システム１３０から受け取られた要求に応答してクライアント・システム１３０から引き出されることが可能である。ソーシャルネットワーキング・システム１６０のユーザの１つまたは複数のプライバシー設定を実施するために、認可サーバが使用されることが可能である。ユーザのプライバシー設定は、ユーザに関連付けられている特定の情報がどのように共有されることが可能であるかを特定する。認可サーバは、ユーザが、たとえば、適切なプライバシー設定を設定することなどによって、自分のアクションをソーシャルネットワーキング・システム１６０によって記録されること、またはその他のシステム（たとえば、サードパーティ・システム１７０）と共有されることのオプトインまたはオプトアウトを行うことを可能にすることができる。サードパーティ・システム１７０などのサードパーティから受け取られたコンテンツ・オブジェクトを格納するために、サードパーティコンテンツオブジェクト・ストアが使用されることが可能である。ユーザに関連付けられているクライアント・システム１３０から受け取られたロケーション情報を格納するために、ロケーション・ストアが使用されることが可能である。広告価格設定モジュールが、ソーシャルな情報、現在時刻、ロケーション情報、またはその他の適切な情報を組み合わせて、関連がある広告を、通知の形式でユーザに提供することができる。
【００１８】
図２は、例示的なソーシャルグラフ２００を示している。特定の実施形態においては、ソーシャルネットワーキング・システム１６０は、１つまたは複数のソーシャルグラフ２００を１つまたは複数のデータ・ストア内に格納することができる。特定の実施形態においては、ソーシャルグラフ２００は、複数のノード（複数のユーザ・ノード２０２、または複数のコンセプト・ノード２０４を含むことができる）と、ノード同士をつなげる複数のエッジ２０６とを含むことができる。図２において示されている例示的なソーシャルグラフ２００は、教示上の目的から、２次元のビジュアル・マップ表示で示されている。特定の実施形態においては、ソーシャルネットワーキング・システム１６０、クライアント・システム１３０、またはサードパーティ・システム１７０は、適切なアプリケーションに関してソーシャルグラフ２００および関連したソーシャルグラフ情報にアクセスすることができる。ソーシャルグラフ２００のノードおよびエッジは、データ・オブジェクトとして、たとえば（ソーシャルグラフ・データベースなどの）データ・ストア内に格納されることが可能である。そのようなデータ・ストアは、ソーシャルグラフ２００のノードまたはエッジの１つまたは複数の検索可能なまたはクエリ可能なインデックスを含むことができる。
【００１９】
特定の実施形態においては、ユーザ・ノード２０２は、ソーシャルネットワーキング・システム１６０のユーザに対応することができる。限定ではなく、例として、ユーザは、ソーシャルネットワーキング・システム１６０と、またはソーシャルネットワーキング・システム１６０を介して対話または通信する個人（人間のユーザ）、エンティティ（たとえば、企業、ビジネス、もしくはサードパーティ・アプリケーション）、または（たとえば、個人もしくはエンティティの）グループであることが可能である。特定の実施形態においては、あるユーザがソーシャルネットワーキング・システム１６０とのアカウントに登録した場合には、ソーシャルネットワーキング・システム１６０は、そのユーザに対応するユーザ・ノード２０２を作成し、そのユーザ・ノード２０２を１つまたは複数のデータ・ストア内に格納することができる。本明細書において記述されているユーザおよびユーザ・ノード２０２は、適切な場合には、登録されているユーザ、および登録されているユーザに関連付けられているユーザ・ノード２０２を指すことができる。追加として、または代替として、本明細書において記述されているユーザおよびユーザ・ノード２０２は、適切な場合には、ソーシャルネットワーキング・システム１６０に登録されていないユーザを指すことができる。特定の実施形態においては、ユーザ・ノード２０２は、ユーザによって提供された情報、またはソーシャルネットワーキング・システム１６０を含むさまざまなシステムによって収集された情報に関連付けられることが可能である。限定ではなく、例として、ユーザは、自分の名前、プロフィール画像、連絡先情報、生年月日、性別、婚姻状況、家族状況、勤務先、学歴、好み、関心、またはその他の人口統計学的情報を提供することができる。特定の実施形態においては、ユーザ・ノード２０２は、ユーザに関連付けられている情報に対応する１つまたは複数のデータ・オブジェクトに関連付けられることが可能である。特定の実施形態においては、ユーザ・ノード２０２は、１つまたは複数のウェブページに対応することができる。
【００２０】
特定の実施形態においては、コンセプト・ノード２０４は、コンセプトに対応することができる。限定ではなく、例として、コンセプトは、場所（たとえば、映画館、レストラン、ランドマーク、もしくは都市など）、ウェブサイト（たとえば、ソーシャルネットワーク・システム１６０に関連付けられているウェブサイト、もしくはウェブアプリケーション・サーバに関連付けられているサードパーティ・ウェブサイトなど）、エンティティ（たとえば、人、企業、グループ、スポーツ・チーム、もしくは有名人など）、ソーシャルネットワーキング・システム１６０内に、もしくはウェブアプリケーション・サーバなどの外部サーバ上に配置されることが可能であるリソース（たとえば、オーディオ・ファイル、ビデオ・ファイル、デジタル写真、テキスト・ファイル、構造化されたドキュメント、もしくはアプリケーションなど）、物的もしくは知的財産（たとえば、彫塑、絵画、映画、ゲーム、曲、アイディア、写真、もしくは執筆作品など）、ゲーム、アクティビティ、アイディアもしくは理論、別の適切なコンセプト、または複数のそのようなコンセプトに対応することができる。コンセプト・ノード２０４は、ユーザによって提供されたコンセプトの情報、またはソーシャルネットワーキング・システム１６０を含むさまざまなシステムによって収集された情報に関連付けられることが可能である。限定ではなく、例として、コンセプトの情報は、名前もしくはタイトル、１つもしくは複数のイメージ（たとえば、本の表紙のイメージ）、ロケーション（たとえば、住所もしくは地理的ロケーション）、（ＵＲＬに関連付けられることが可能である）ウェブサイト、連絡先情報（たとえば、電話番号もしくはＥメール・アドレス）、その他の適切なコンセプト情報、またはそのような情報の任意の適切な組合せを含むことができる。特定の実施形態においては、コンセプト・ノード２０４は、コンセプト・ノード２０４に関連付けられている情報に対応する１つまたは複数のデータ・オブジェクトに関連付けられることが可能である。特定の実施形態においては、コンセプト・ノード２０４は、１つまたは複数のウェブページに対応することができる。
【００２１】
特定の実施形態においては、ソーシャルグラフ２００内のノードは、ウェブページ（「プロフィール・ページ」と呼ばれる場合もある）を表すこと、またはウェブページによって表されることが可能である。プロフィール・ページは、ソーシャルネットワーキング・システム１６０によってホストされること、またはソーシャルネットワーキング・システム１６０にとってアクセス可能であることが可能である。プロフィール・ページは、サードパーティ・サーバ１７０に関連付けられているサードパーティ・ウェブサイト上にホストされることも可能である。限定ではなく、例として、特定の外部ウェブページに対応するプロフィール・ページは、その特定の外部ウェブページであることが可能であり、そのプロフィール・ページは、特定のコンセプト・ノード２０４に対応することができる。プロフィール・ページは、その他のユーザのうちのすべてまたは選択されたサブセットによって閲覧できることが可能である。限定ではなく、例として、ユーザ・ノード２０２は、対応するユーザプロフィール・ページを有することができ、そのユーザプロフィール・ページにおいては、対応するユーザが、コンテンツを付加すること、言明を行うこと、またはその他の形で自分自身を表現することが可能である。限定ではなく、別の例として、コンセプト・ノード２０４は、対応するコンセプトプロフィール・ページを有することができ、そのコンセプトプロフィール・ページにおいては、１人または複数のユーザが、特にコンセプト・ノード２０４に対応するコンセプトに関連して、コンテンツを付加すること、言明を行うこと、または自分自身を表現することが可能である。
【００２２】
特定の実施形態においては、コンセプト・ノード２０４は、サードパーティ・システム１７０によってホストされているサードパーティ・ウェブページまたはリソースを表すことができる。サードパーティ・ウェブページまたはリソースは、数ある要素の中でも、コンテンツ、選択可能なもしくはその他のアイコン、または、アクションもしくはアクティビティを表す（たとえば、ＪＡＶＡＳＣＲＩＰＴ（登録商標）、ＡＪＡＸ、もしくはＰＨＰコードで実装されることが可能である）その他の対話可能なオブジェクトを含むことができる。限定ではなく、例として、サードパーティ・ウェブページは、「いいね！」、「チェックイン」、「食べる」、「推奨する」、または別の適切なアクションもしくはアクティビティなどの選択可能なアイコンを含むことができる。サードパーティ・ウェブページを閲覧しているユーザは、それらのアイコンのうちの１つ（たとえば、「食べる」）を選択することによってアクションを実行して、クライアント・システム１３０に、そのユーザのアクションを示すメッセージをソーシャルネットワーキング・システム１６０へ送信させることができる。そのメッセージに応答して、ソーシャルネットワーキング・システム１６０は、ユーザに対応するユーザ・ノード２０２と、サードパーティ・ウェブページまたはリソースに対応するコンセプト・ノード２０４との間においてエッジ（たとえば、「食べる」エッジ）を作成して、エッジ２０６を１つまたは複数のデータ・ストア内に格納することができる。
【００２３】
特定の実施形態においては、ソーシャルグラフ２００内の１対のノードが、１つまたは複数のエッジ２０６によって互いにつながることが可能である。１対のノードをつなげるエッジ２０６は、それらの１対のノードの間における関係を表すことができる。特定の実施形態においては、エッジ２０６は、１対のノードの間における関係に対応する１つまたは複数のデータ・オブジェクトまたは属性を含むことまたは表すことが可能である。限定ではなく、例として、第１のユーザは、第２のユーザが第１のユーザの「友達」であるということを示すことができる。この表示に応答して、ソーシャルネットワーキング・システム１６０は、「友達要求」を第２のユーザに送信することができる。第２のユーザがその「友達要求」を承認した場合には、ソーシャルネットワーキング・システム１６０は、ソーシャルグラフ２００内で第１のユーザのユーザ・ノード２０２を第２のユーザのユーザ・ノード２０２につなげるエッジ２０６を作成して、エッジ２０６をソーシャルグラフ情報としてデータ・ストア２４のうちの１つまたは複数の中に格納することができる。図２の例においては、ソーシャルグラフ２００は、ユーザ「Ａ」のユーザ・ノード２０２と、ユーザ「Ｂ」のユーザ・ノード２０２との間における友達関係を示すエッジ２０６と、ユーザ「Ｃ」のユーザ・ノード２０２と、ユーザ「Ｂ」のユーザ・ノード２０２との間における友達関係を示すエッジとを含む。本開示は、特定のユーザ・ノード２０２同士をつなげる特定の属性を伴う特定のエッジ２０６を記述している、または示しているが、本開示は、ユーザ・ノード２０２同士をつなげる任意の適切な属性を伴う任意の適切なエッジ２０６を想定している。限定ではなく、例として、エッジ２０６は、友達関係、家族関係、ビジネスもしくは雇用関係、ファン関係、フォロワー関係、ビジター関係、サブスクライバ関係、上下関係、互恵的関係、非互恵的関係、別の適切なタイプの関係、または複数のそのような関係を表すことができる。その上、本開示は一般に、ノード同士をつながっているものとして記述しているが、本開示はまた、ユーザ同士またはコンセプト同士をつながっているものとして記述している。本明細書においては、つながっているユーザ同士またはコンセプト同士への言及は、適切な場合には、１つまたは複数のエッジ２０６によってソーシャルグラフ２００内でつながっているそれらのユーザ同士またはコンセプト同士に対応するノード同士を指すことができる。
【００２４】
特定の実施形態においては、ユーザ・ノード２０２とコンセプト・ノード２０４との間におけるエッジ２０６は、ユーザ・ノード２０２に関連付けられているユーザによって、コンセプト・ノード２０４に関連付けられているコンセプトに対して実行された特定のアクションまたはアクティビティを表すことができる。限定ではなく、例として、図２において示されているように、ユーザは、コンセプトに対して「いいね！を表明すること」、「通うこと」、「プレイすること」、「聴くこと」、「料理すること」、「勤務すること」、または「観ること」を行った可能性があり、それらのそれぞれは、エッジタイプまたはサブタイプに対応することができる。コンセプト・ノード２０４に対応するコンセプトプロフィール・ページは、たとえば、選択可能な「チェックイン」アイコン（たとえば、クリック可能な「チェックイン」アイコンなど）、または選択可能な「お気に入りに追加」アイコンを含むことができる。同様に、ユーザがこれらのアイコンをクリックした後に、ソーシャルネットワーキング・システム１６０は、それぞれのアクションに対応するユーザのアクションに応答して「お気に入り」エッジまたは「チェックイン」エッジを作成することができる。限定ではなく、別の例として、あるユーザ（ユーザ「Ｃ」）が、特定のアプリケーション（オンライン音楽アプリケーションであるＳＰＯＴＩＦＹ）を使用して特定の曲（「イマジン」）を聴く場合がある。このケースにおいては、ソーシャルネットワーキング・システム１６０は、そのユーザに対応するユーザ・ノード２０２と、その曲およびアプリケーションに対応するコンセプト・ノード２０４との間において、（図２に示されているような）「聴いた」エッジ２０６および「使用した」エッジを作成して、そのユーザがその曲を聴いてそのアプリケーションを使用したということを示すことができる。その上、ソーシャルネットワーキング・システム１６０は、その曲に対応するコンセプト・ノード２０４と、そのアプリケーションに対応するコンセプト・ノード２０４との間において、（図２に示されているような）「再生した」エッジ２０６を作成して、その特定の曲がその特定のアプリケーションによって再生されたということを示すことができる。このケースにおいては、「再生した」エッジ２０６は、外部アプリケーション（ＳＰＯＴＩＦＹ）によって外部オーディオ・ファイル（「イマジン」という曲）に関して実行されたアクションに対応する。本開示は、ユーザ・ノード２０２とコンセプト・ノード２０４とをつなげる特定の属性を伴う特定のエッジ２０６について記述しているが、本開示は、ユーザ・ノード２０２とコンセプト・ノード２０４とをつなげる任意の適切な属性を伴う任意の適切なエッジ２０６を想定している。その上、本開示は、単一の関係を表すユーザ・ノード２０２とコンセプト・ノード２０４との間におけるエッジについて記述しているが、本開示は、１つまたは複数の関係を表すユーザ・ノード２０２とコンセプト・ノード２０４との間におけるエッジを想定している。限定ではなく、例として、エッジ２０６は、ユーザが特定のコンセプトに対して「いいね！」を表明しているということ、およびその特定のコンセプトを使用したということの両方を表すことができる。あるいは、別のエッジ２０６は、（図２において、ユーザ「Ｅ」を表すユーザ・ノード２０２と、「ＳＰＯＴＩＦＹ」を表すコンセプト・ノード２０４との間において示されているような）ユーザ・ノード２０２とコンセプト・ノード２０４との間におけるそれぞれのタイプの関係（または、単一の関係が複数集まったもの）を表すことができる。
【００２５】
特定の実施形態においては、ソーシャルネットワーキング・システム１６０は、ソーシャルグラフ２００内でユーザ・ノード２０２とコンセプト・ノード２０４との間においてエッジ２０６を作成することができる。限定ではなく、例として、（たとえば、ユーザのクライアント・システム１３０によってホストされているウェブ・ブラウザまたは専用のアプリケーションを使用することなどによって）コンセプトプロフィール・ページを閲覧しているユーザは、「いいね！」アイコンをクリックまたは選択することにより、コンセプト・ノード２０４によって表されているコンセプトを自分が気に入っているということを示すことができ、その「いいね！」アイコンをクリックまたは選択することは、ユーザのクライアント・システム１３０に、そのコンセプトプロフィール・ページに関連付けられているそのコンセプトをそのユーザが気に入っているということを示すメッセージをソーシャルネットワーキング・システム１６０へ送信させることができる。そのメッセージに応答して、ソーシャルネットワーキング・システム１６０は、そのユーザとコンセプト・ノード２０４との間における「いいね！」エッジ２０６によって示されているように、そのユーザに関連付けられているユーザ・ノード２０２とコンセプト・ノード２０４との間においてエッジ２０６を作成することができる。特定の実施形態においては、ソーシャルネットワーキング・システム１６０は、エッジ２０６を１つまたは複数のデータ・ストア内に格納することができる。特定の実施形態においては、エッジ２０６は、特定のユーザ・アクションに応答してソーシャルネットワーキング・システム１６０によって自動的に形成されることが可能である。限定ではなく、例として、第１のユーザが、画像をアップロードすること、映画を観ること、または曲を聴くことを行った場合には、エッジ２０６は、第１のユーザに対応するユーザ・ノード２０２と、それらのコンセプトに対応するコンセプト・ノード２０４との間において形成されることが可能である。本開示は、特定の様式で特定のエッジ２０６を形成することについて記述しているが、本開示は、任意の適切な様式で任意の適切なエッジ２０６を形成することを想定している。
【００２６】
図３は、クライアント・コンピューティング・デバイスのユーザが見ることができるビデオをランク付けするための例示的な方法３００を示している。本明細書において使用される際には、ビデオがランク付けされている対象のユーザは、「想定ユーザ」として知られている。クライアント・コンピューティング・デバイスは、任意の適切なデバイス、たとえば、デスクトップもしくはラップトップ・コンピュータ、スマートフォン、ＰＤＡ、タブレット、テレビジョン、または、ビデオを表示用に処理することもしくはビデオを表示することに適したその他の任意のクライアント・コンピューティング・デバイスであることが可能である。ビデオは、任意の適切なビデオ、たとえば、テレビジョン番組、ウェブページ上のビデオ、ウェブサイトからストリーミングされるビデオ、ＷＡＮもしくはＬＡＮを介してストリーミングされるビデオ、またはその他の任意の適切なビデオを含む。ビデオは、（ライブ・イベントのビデオ、および特定の時刻にブロードキャストされるもしくはストリーミングされるビデオを含む）ライブ・ビデオ、タイムシフトされるかもしくはタイムディレイされたビデオ（time-shifted or time-delayed videos）、（任意の時刻に、もしくは任意の特定のタイム・フレーム内でアクセスされることが可能である）オンデマンド・ビデオ、または任意の適切なタイム・フレーム中にアクセス可能なビデオを含む。図３の方法は、任意の適切なコンピューティング・デバイス、たとえば、任意の適切なネットワークに関連付けられているクライアントコンピューティング・デバイスまたは１つもしくは複数のサーバ・コンピューティング・デバイスによって実行される。特定の実施形態においては、複数のコンピューティング・デバイスが、方法の工程のうちの１つまたは複数を実行することができる。
【００２７】
図３の方法は、工程３１０において開始することができ、工程３１０では、ユーザが見ることができる複数のビデオが特定される。ユーザが見ることができるビデオは、ビデオを見るために使用されるプラットフォームに依存する。たとえば、ユーザが、テレビジョン番組を見ることに関心がある場合には、ユーザが見ることができるビデオは、テレビジョン番組として見るために利用可能なビデオである。別の例として、ビデオは、ネットフリックスなどのストリーミング・ビデオ・サービスによって提供されるストリーミング・ビデオである。別の例として、ビデオは、ユーチューブなどのウェブサイトにおいて利用可能な、またはそうしたウェブサイトによってホストされているビデオである。別の例として、ユーザが見ることができるビデオは、ユーザが以前に選択したまたは対話したビデオ、たとえば、ユーザが録画しておいたタイムシフトされたテレビジョン番組、またはユーザがキューに入れておいたストリーミング・ビデオである。別の例として、ユーザが見ることができるビデオは、オンデマンド・ビデオおよびペイパービュー・ビデオを含む。特定の実施形態においては、オンデマンド・ビデオおよびペイパービュー・ビデオは、ペイウォールの後ろにある場合があり、サブスクリプション・ベースまたは利用回数制料金で（on a subscription or per-use basis）アクセスされる。特定の実施形態においては、ユーザにとって利用可能なビデオは、複数のプラットフォームからのビデオを含む。特定の実施形態においては、ユーザが見ることができるビデオを特定することは、複数のプラットフォームにわたってユーザにとって利用可能なまたはユーザによってアクセス可能なビデオを特定することを含む。特定の実施形態においては、ユーザが見ることができるビデオは、それらのビデオそのものにアクセスすることによって、またはそれらのビデオに関する情報にアクセスすることによって特定される。本開示は、ユーザが見ることができるビデオ、およびそれらのビデオがどのようにして特定されることが可能であるかの特定の例を提供しているが、本開示は、ユーザが見ることができるビデオを特定するための任意の適切な方法を想定している。
【００２８】
工程３２０において、それぞれのビデオに関して、そのビデオに関連付けられている１つまたは複数の係数要素のそれぞれについて係数値が特定される。係数要素は、ビデオに関するランキングを特定するために使用される入力である。ビデオをランク付けするために使用される目的で利用可能なすべての係数要素が実際に使用されることが可能であるとは限らず、たとえば、ユーザの好み、ランキング・ユーティリティ、ランク付けを実行するエンティティの好み、または計算スピードもしくは効率に基づいて選択係数要素が使用される。係数値は、その係数値が関連付けられている係数要素の値を表す。係数値は、任意の適切な方法によって特定されることが可能である。本開示の特定の例は、係数値を、その係数値が表す絶対値として記述しているが、本開示は、正規化など、任意の適切な処理またはスケーリングが、１つまたは複数の係数値に適用されることが可能であるということを想定している。
【００２９】
特定の実施形態においては、あるユーザのためにランク付けされている特定のビデオに関する１つまたは複数の係数要素は、ユーザがそのビデオを見ることに対応するかまたは対応する（coincident with）であろう値を有する場合がある（「対応係数要素（coincident coefficient factor）」）。言い換えれば、ユーザがビデオを見ることになるまたは見ることができる時刻（またはその時刻に近い複数の時刻）が、それらの係数要素の重要な側面である。その他の係数要素も、時間に依存する場合があるが、それらの要素の値は、ユーザがそのビデオを見ることに対応しない場合がある。
【００３０】
特定の実施形態においては、ビデオを現在見ているソーシャル・ネットワークのユーザのうちで、想定ユーザにつながっているユーザの数は、対応係数要素である。この要素に関する値の特定に含まれるユーザとしては、ソーシャル・ネットワークにおいて想定ユーザから任意の適切な隔たり度合い（degree of separation）にあるユーザを含むことができる。たとえば、特定の実施形態においては、想定ユーザの友達、またはそれらの友達のうちの選択された友達のみが含まれることが可能である。その他の実施形態においては、想定ユーザの友達の友達も含まれることが可能である。特定の実施形態においては、想定ユーザと類似の１つまたは複数の属性を有するユーザが含まれる。特定の実施形態においては、想定ユーザは、この対応係数要素に関して、どのタイプのつながりまたはどの特定のつながりを使用するかを特定することができる。特定の実施形態においては、ビデオを現在見ているソーシャル・ネットワークのユーザのうちで、想定ユーザにつながっているユーザの数の変化率は、対応係数要素である。上述したように、この特定に含まれるユーザは、想定ユーザから任意の適切な隔たり度合いにあることが可能である。
【００３１】
特定の実施形態においては、想定ユーザへのつながりとは無関係の、ビデオを現在見ているソーシャル・ネットワークのユーザの数は、対応係数要素である。この要素は、ソーシャル・ネットワークのすべてのユーザ、またはそのソーシャル・ネットワークのユーザの一部分、たとえば、特定の地理的エリア内のユーザ、想定ユーザと類似の１つまたは複数の属性または好みを有するユーザなどを含むことができる。特定の実施形態においては、想定ユーザへのつながりとは無関係の、ビデオを現在見ているソーシャル・ネットワークのユーザの数の変化率は、対応係数要素である。上述したように、この特定に含まれるユーザは、想定ユーザから任意の適切な隔たり度合いにあることが可能である。
【００３２】
特定の実施形態においては、ランク付けされているビデオの即時性は、対応係数要素である。ビデオの即時性は、そのビデオがユーザによって見ることができるようになるまたはユーザにとってその他の形で利用可能になるまでに残っている時間を記述するまたは示す。たとえば、即時性係数要素は、番組が放送されるまでの時間を記述することができる。別の例として、２０分間で利用可能になるビデオは、１週間で利用可能になるビデオよりも高い即時性を有する。
【００３３】
特定の実施形態においては、ユーザがビデオを見ることの、そのビデオに関連付けられているエンティティにとっての現在の価値は、対応係数要素である。たとえば、そのビデオに関連付けられているエンティティは、より高くランク付けされているビデオを有するために、より多くを支払う。ユーザがビデオを見ることの現在の価値は、特定のユーザ、またはランキングが特定される時刻に基づいて変わる。ユーザがビデオを見ることの、エンティティにとっての現在の価値は、任意の適切な技術またはアルゴリズム、たとえばターゲティング・アルゴリズムなどによって特定される。特定の実施形態においては、ビデオの全体的なランキングは、ユーザの嗜好に左右され、ユーザが見たくないビデオは、この対応係数要素の値にかかわらず、（相対的に見て）高くランク付けされないであろう。
【００３４】
特定の実施形態においては、ビデオに対して「いいね！」を表明したソーシャル・ネットワークのユーザのうちで、想定ユーザにつながっているユーザの数は、非対応係数要素（non-coincident coefficient factor）である。この要素に関する値の特定に含めるために選択されるユーザとしては、ソーシャル・ネットワークにおいて想定ユーザから任意の適切な隔たり度合いにあるユーザを含むことができる。たとえば、特定の実施形態においては、想定ユーザの友達、またはそれらの友達のうちの選択された友達のみが含まれる。その他の実施形態においては、想定ユーザの友達の友達も含まれる。特定の実施形態においては、想定ユーザと類似の１つまたは複数の属性または好みを有するユーザが含まれる。特定の実施形態においては、想定ユーザは、この対応係数要素に関して、どのタイプのつながりを使用するかを特定することができ、および／またはユーザへの特定のつながりを選択することができる。特定の実施形態においては、想定ユーザへのつながりとは無関係の、ビデオに対して「いいね！」を表明したソーシャル・ネットワークのユーザの数は、対応係数要素である。この要素は、ソーシャル・ネットワークのすべてのユーザ、またはそのソーシャル・ネットワークのユーザの一部分、たとえば、特定の地理的エリア内のユーザ、そのビデオがランク付けされている対象のユーザの１つまたは複数の属性または好みを共有しているユーザなどを含むことができる。
【００３５】
特定の実施形態においては、ビデオに関連したユーザのアクションの１つまたは複数のトレンドは、非対応係数要素である。たとえば、ビデオに対して「いいね！」を表明したソーシャル・ネットワークのユーザのうちで、想定ユーザにつながっているユーザの数の変化率は、非対応係数要素である。別の例として、想定ユーザへのつながりとは無関係の、ビデオに対して「いいね！」を表明したソーシャル・ネットワークのユーザの数の変化率は、非対応係数要素である。別の例として、ビデオに関するユーザのフィードバックまたはディスカッションの変化率は、非対応係数要素であり、ソーシャル・ネットワーキング・システム上での、またはワールド・ワイド・ウェブ上でのユーザ生成コンテンツの言語検索など、任意の適切な方法によって特定される。
【００３６】
特定の実施形態においては、ビデオがランク付けされている対象のユーザの１つまたは複数の好みを表すか、記述するか、またはその他の形式で示す嗜好要素は、非対応係数要素である。特定の実施形態においては、嗜好要素情報は、ユーザにとってのビデオを見ることの価格またはコストを含む。たとえば、そのような情報は、ペイウォールの後ろにあるビデオ（オンデマンド・ビデオおよびペイパービュー・ビデオなど）に対するディスカウントなど、ビデオの通常価格または平均価格に対するビデオのセールまたはディスカウントを含む。そのような情報は、追加として、または代替として、ビデオの価格を含む。セール中の、ディスカウントされているか、またはその他のビデオよりも相対的に低いコストのビデオは、セール中ではないか、ディスカウントされていないか、または相対的に高いコストのビデオよりも高くランク付けされる。特定の実施形態においては、嗜好要素は、ユーザの好みを、明示的に言明されているか、または、ユーザのアクション、つながり、ポストされているコンテンツによって、ユーザと類似の１つまたは複数の属性もしくは好みを有するその他のユーザの嗜好などによって黙示的に特定されているかを問わず、含むことができる。特定の実施形態においては、嗜好要素に含まれる情報は、少なくとも部分的にソーシャルネットワーキング・システムから特定される。たとえば、嗜好要素は、ソーシャルネットワーキング・システム上での明示的な、言明されたユーザの関心、または、ソーシャルネットワーキング・システム上のノード、オブジェクト、エンティティ、ブランド、もしくはページへのユーザの明示的なつながりを含む。追加として、または代替として、嗜好要素は、明示的なまたは推測されたユーザの関心または好みを含むことができる（それは、ユーザの履歴、人口統計学的な、ソーシャルな、もしくはその他のアクティビティ、友達のソーシャルなもしくはその他のアクティビティ、サブスクリプション、または（たとえば、共有された関心、つながり、もしくはイベントに基づいて）ユーザに類似しているその他のユーザについての上記のもののいずれかを分析することを含むことができる）。特定の実施形態は、プラットフォーム・ターゲティング（platform targeting）を利用することができ、プラットフォームおよび「いいね！」のインプレッション・データ（impression data）、コンテキスト信号（たとえば、「コカコーラに関するページを現在見ているのは、もしくは最近見たのは誰か？」）、軽い重みのつながり（たとえば、「チェックイン」）、つながりに類するもの（connection lookalikes）、ファン、抽出されたキーワード、ＥＭＵ広告、推測広告（inferential advertising）、係数、親近感、もしくはその他のソーシャルグラフ情報、友達の友達のつながり、ピンニング（pinning）もしくはブースティング、取引、世論調査、世帯収入、ソーシャル・クラスタもしくはグループ、イメージもしくはその他のメディア内で検知された製品、ソーシャルもしくはオープングラフ・エッジ・タイプ、ジオプレディクション（geo-prediction）、プロフィールのビューもしくはページ、ステータス更新もしくはその他のユーザ・ポスト（その分析は、自然言語処理もしくはキーワード抽���を含むことができる）、イベント情報、または協調フィルタリングを含むことができる。重要なこととして、嗜好要素は、必要に応じて、１つまたは複数のプライバシー設定（ユーザ・オプトアウトなど）、データ・ハッシング、またはデータ匿名化を含むこともできる。
【００３７】
工程３３０において、それぞれのビデオに関して、係数要素のそのビデオの係数値に基づいてビデオ係数が計算される。本開示は、係数要素の値に基づいてビデオ係数を計算するための任意の適切なモデル、アルゴリズム、または方法を想定している。特定の実施形態においては、係数要素に関連付けられている重みによってビデオ係数が重み付けされる。係数要素に関する重みは、任意の適切な方法によって特定される。たとえば、重みは、ランク付けされるビデオに対する過去のユーザの選択または対話に関する情報によって特定される。過去のユーザとは、ビデオ・ランキングが提示されているユーザ、ランキングにおいて特定のビデオが提示されたすべてのユーザ、任意のビデオ・ランキングが提示されたすべてのユーザ、または、任意のビデオ・ランキングが提示されたユーザのうちで、ビデオがランク付けされている対象のユーザと共通の１つまたは複数の関連している特徴を共有しているユーザである。特定の実施形態においては、より多くの情報が利用可能になるにつれて重みを自動的に調整するために機械学習またはその他の適切な技術が使用される。特定の実施形態においては、重みは、ユーザの好み、またはそれらの重みを生成しているエンティティの好みに基づく。特定の実施形態においては、複数の係数値の係数要素に関連付けられている任意の既存の重みが乗算された複数の係数値の線形結合（linear combination）を使用してビデオ係数が特定される。言い換えれば、下記の式に従って、ｎ個の係数要素Ｆおよびｎ個の対応する重みｗを使用してビデオ係数Ｖが計算される。
Ｖ＝ｗ１Ｆ１＋ｗ２Ｆ２＋ｗ３Ｆ３＋．．．ｗｎＦｎ＝ΣｗｉＦｉ
この例においては、ビデオ係数を特定するために使用される任意のアルゴリズムに関して、任意の適切なスケーリングまたは処理が、ビデオ係数を計算する前の係数要素の値もしくは重みに対して実行されるか、計算されたビデオ係数に対して実行されるか、または両方に対して実行される。本開示は、係数値および任意の関連付けられている重みに基づいてビデオ係数を計算する特定の方法について記述しているが、本開示は、係数値に基づいてビデオ係数を計算するための任意の適切な方法、モデル、またはアルゴリズムを想定している。
【００３８】
工程３４０において、ビデオが、それらのビデオ係数に基づいてランク付けされる。特定の実施形態においては、ランキングは、もっぱらビデオ係数に基づき、言い換えれば、ランク付けされるビデオの順序は、ビデオ係数の順序に対応する。特定の実施形態においては、ランキングは、部分的にビデオ係数に基づき、さらなる情報を考慮に入れることができる。特定の実施形態においては、ビデオ係数が特定されたすべてのビデオが、ランク付けされる。特定の実施形態においては、特定のビデオのみが、ランク付けされる。たとえば、しきい値を超えるビデオ係数を有するビデオのみが、ランク付けされる。別の例として、特定のサブセット（たとえば、スポーツなど）に属するビデオのみが、ランク付けされる。本開示は、ビデオをそれらのビデオ係数に基づいてランク付けする特定の方法について記述しているが、本開示は、ビデオをそれらのビデオ係数に基づいてランク付けする任意の適切な方法を想定している。
【００３９】
工程３５０において、ランキングが、ユーザへの提示のために提供される。特定の実施形態においては、ランキングをユーザへの提示のために提供することは、ランキングをユーザに対して表示することを含む。たとえば、ランキングは、ユーザがビデオを見るために使用することになるクライアント・デバイス上に表示される。提示される際に、その提示は、ユーザがビデオを見始めること、ビデオをホストしているウェブサイトへナビゲートすること、ビデオが存在しているストレージ・デバイスのメモリ・アドレスにアクセスすること、ビデオに関する情報にアクセスすること、またはその他の任意の適切な対話を可能にするインタラクティブな要素を含む。特定の実施形態においては、ランキングは、ビデオそのものまたはビデオへのリンクをランク付けされた順に表示することによって提示される。特定の実施形態においては、ランキングは、それらのランキングについて記述する情報を表示することによって提示される。特定の実施形態においては、ランキングは、ユーザの好みに従って提示される。たとえば、ユーザは、どのタイプのビデオをランク付けするか、ランク付けされたビデオが一度にいくつ表示されるべきであるか、または表示のその他の任意の適切な側面を示す。特定の実施形態においては、ランキングをユーザへの提示のために提供することは、ランキング情報を、ユーザに表示する前にさらに処理するためにデバイスまたはサーバに提供することを含む。たとえば、ストリーミング・ビデオのセットに関するランキング情報が、ストリーミング・ビデオのプロバイダへ送信され、次いでそのプロバイダは、そのランキング情報を使用して、ランク付けされたビデオをユーザに対して表示する。本開示は、ランキングをユーザへの提示のために提供することの特定の例について記述しているが、本開示は、ランキングをユーザへの提示のために提示する任意の適切な方法を想定している。
【００４０】
特定の実施形態は、適切な場合には、図３の方法の１つまたは複数の工程を繰り返すことができる。本開示は、図３の方法の特定の複数の工程を、特定の順序で生じるものとして記述し、示しているが、本開示は、任意の適切な順序で生じる図３の方法の任意の適切な複数の工程を想定している。その上、本開示は、図３の方法の特定の工程を実行する特定のコンポーネント、デバイス、またはシステムについて記述し、示しているが、本開示は、図３の方法の任意の適切な工程を実行する任意の適切なコンポーネント、デバイス、またはシステムの任意の適切な組合せを想定している。
【００４１】
その上、図３の例示的な方法は、複数の係数要素を編成またはグループ化する特定の方法について記述しているが、本開示は、任意の適切な方法で複数の係数要素を編成またはグループ化することを想定している。たとえば、複数の係数要素は、ソーシャル要素（その他のユーザの行動について記述する要素）、即時性要素、人気またはトレンド要素、および（ユーザがビデオを見ることの、エンティティにとっての価値について記述する要素など）マネタイゼーション要素（monetization factor）のうちの１つまたは複数へとグループ化されることが可能である。
【００４２】
図４は、例示的なコンピュータ・システム４００を示している。特定の実施形態においては、１つまたは複数のコンピュータ・システム４００が、本明細書において記述されているまたは示されている１つまたは複数の方法の１つまたは複数の工程を実行する。特定の実施形態においては、１つまたは複数のコンピュータ・システム４００が、本明細書において記述されているまたは示されている機能を提供する。特定の実施形態においては、１つまたは複数のコンピュータ・システム４００上で稼働するソフトウェアが、本明細書において記述されているもしくは示されている１つもしくは複数の方法の１つもしくは複数の工程を実行し、または本明細書において記述されているもしくは示されている機能を提供する。特定の実施形態は、１つまたは複数のコンピュータ・システム４００の１つまたは複数の部分を含む。本明細書においては、コンピュータ・システムへの言及は、適切な場合には、コンピューティング・デバイスを包含することができる。その上、コンピュータ・システムへの言及は、適切な場合には、１つまたは複数のコンピュータ・システムを包含することができる。
【００４３】
本開示は、任意の適切な数のコンピュータ・システム４００を想定している。本開示は、任意の適切な物理的な形態を取るコンピュータ・システム４００を想定している。限定ではなく、例として、コンピュータ・システム４００は、組み込みコンピュータ・システム、システムオンチップ（ＳＯＣ）、シングルボード・コンピュータ・システム（ＳＢＣ）（たとえば、コンピュータオンモジュール（ＣＯＭ）もしくはシステムオンモジュール（ＳＯＭ）など）、デスクトップ・コンピュータ・システム、ラップトップもしくはノートブック・コンピュータ・システム、インタラクティブ・キオスク、メインフレーム、コンピュータ・システムのメッシュ、モバイル電話、携帯情報端末（ＰＤＡ）、サーバ、タブレット・コンピュータ・システム、またはこれらのうちの複数の組合せであることが可能である。適切な場合には、コンピュータ・システム４００は、１つもしくは複数のコンピュータ・システム４００を含むこと、単一型もしくは分散型であること、複数のロケーションにわたること、複数のマシンにわたること、複数のデータセンターにわたること、または、クラウド（１つもしくは複数のネットワーク内の１つもしくは複数のクラウド・コンポーネントを含むことができる）内に常駐することが可能である。適切な場合には、１つまたは複数のコンピュータ・システム４００は、本明細書において記述されているまたは示されている１つまたは複数の方法の１つまたは複数の工程を、実質的な空間上のまたは時間上の制限を伴わずに実行することができる。限定ではなく、例として、１つまたは複数のコンピュータ・システム４００は、本明細書において記述されているまたは示されている１つまたは複数の方法の１つまたは複数の工程をリアル・タイムで、またはバッチ・モードで実行することができる。１つまたは複数のコンピュータ・システム４００は、適切な場合には、本明細書において記述されているまたは示されている１つまたは複数の方法の１つまたは複数の工程を別々の時点で、または別々のロケーションで実行することができる。
【００４４】
特定の実施形態においては、コンピュータ・システム４００は、プロセッサ４０２、メモリ４０４、ストレージ４０６、入力／出力（Ｉ／Ｏ）インタフェース４０８、通信インタフェース４１０、およびバス４１２を含む。本開示は、特定の数の特定のコンポーネントを特定の構成で有する特定のコンピュータ・システムについて記述し、示しているが、本開示は、任意の適切な数の任意の適切なコンポーネントを任意の適切な構成で有する任意の適切なコンピュータ・システムを想定している。
【００４５】
特定の実施形態においては、プロセッサ４０２は、コンピュータ・プログラムを構成している命令などの命令を実行するためのハードウェアを含む。限定ではなく、例として、命令を実行するために、プロセッサ４０２は、内部レジスタ、内部キャッシュ、メモリ４０４、またはストレージ４０６から命令を取り出し（またはフェッチし）、それらの命令をデコードして実行し、次いで、１つまたは複数の結果を内部レジスタ、内部キャッシュ、メモリ４０４、またはストレージ４０６に書き込むことができる。特定の実施形態においては、プロセッサ４０２は、データ、命令、またはアドレスのための１つまたは複数の内部キャッシュを含むことができる。本開示は、適切な場合には、任意の適切な数の任意の適切な内部キャッシュを含むプロセッサ４０２を想定している。限定ではなく、例として、プロセッサ４０２は、１つまたは複数の命令キャッシュ、１つまたは複数のデータ・キャッシュ、および１つまたは複数の変換ルックアサイド・バッファ（ＴＬＢ）を含むことができる。命令キャッシュ内の命令は、メモリ４０４またはストレージ４０６内の命令のコピーであることが可能であり、命令キャッシュは、プロセッサ４０２によるそれらの命令の取り出しをスピードアップすることができる。データ・キャッシュ内のデータは、プロセッサ４０２において実行される命令が機能する際に基づくメモリ４０４もしくはストレージ４０６内のデータのコピー、プロセッサ４０２において実行される後続の命令によるアクセスのための、もしくはメモリ４０４もしくはストレージ４０６への書き込みのためのプロセッサ４０２において実行された以前の命令の結果、またはその他の適切なデータであることが可能である。データ・キャッシュは、プロセッサ４０２による読み取りオペレーションまたは書き込みオペレーションをスピードアップすることができる。ＴＬＢは、プロセッサ４０２のための仮想アドレス変換をスピードアップすることができる。特定の実施形態においては、プロセッサ４０２は、データ、命令、またはアドレスのための１つまたは複数の内部レジスタを含むことができる。本開示は、適切な場合には、任意の適切な数の任意の適切な内部レジスタを含むプロセッサ４０２を想定している。適切な場合には、プロセッサ４０２は、１つまたは複数の演算ロジック・ユニット（ＡＬＵ）を含むこと、マルチコア・プロセッサであること、または１つもしくは複数のプロセッサ４０２を含むことが可能である。本開示は、特定のプロセッサについて記述し、示しているが、本開示は、任意の適切なプロセッサを想定している。
【００４６】
特定の実施形態においては、メモリ４０４は、プロセッサ４０２が実行するための命令、またはプロセッサ４０２が機能する際に基づくデータを格納するためのメイン・メモリを含む。限定ではなく、例として、コンピュータ・システム４００は、命令をストレージ４０６または別のソース（たとえば、別のコンピュータ・システム４００など）からメモリ４０４にロードすることができる。次いでプロセッサ４０２は、命令をメモリ４０４から内部レジスタまたは内部キャッシュにロードすることができる。命令を実行するために、プロセッサ４０２は、命令を内部レジスタまたは内部キャッシュから取り出し、それらの命令をデコードすることができる。命令の実行中または実行後に、プロセッサ４０２は、１つまたは複数の結果（それらは、中間の結果または最終的な結果である場合がある）を内部レジスタまたは内部キャッシュに書き込むことができる。次いでプロセッサ４０２は、それらの結果のうちの１つまたは複数をメモリ４０４に書き込むことができる。特定の実施形態においては、プロセッサ４０２は、（ストレージ４０６またはその他の場所ではなく）１つもしくは複数の内部レジスタもしくは内部キャッシュ内の、またはメモリ４０４内の命令のみを実行し、（ストレージ４０６またはその他の場所ではなく）１つもしくは複数の内部レジスタもしくは内部キャッシュ内の、またはメモリ４０４内のデータ上でのみ機能する。１つまたは複数のメモリ・バス（それらはそれぞれ、アドレス・バスおよびデータ・バスを含むことができる）は、プロセッサ４０２をメモリ４０４に結合することができる。バス４１２は、以降で記述されているような１つまたは複数のメモリ・バスを含むことができる。特定の実施形態においては、１つまたは複数のメモリ管理ユニット（ＭＭＵ）が、プロセッサ４０２とメモリ４０４との間に常駐し、プロセッサ４０２によって要求されるメモリ４０４へのアクセスを容易にする。特定の実施形態においては、メモリ４０４は、ランダム・アクセス・メモリ（ＲＡＭ）を含む。このＲＡＭは、適切な場合には、揮発性メモリであることが可能である。適切な場合には、このＲＡＭは、ダイナミックＲＡＭ（ＤＲＡＭ）またはスタティックＲＡＭ（ＳＲＡＭ）であることが可能である。その上、適切な場合には、このＲＡＭは、シングルポートＲＡＭまたはマルチポートＲＡＭであることが可能である。本開示は、任意の適切なＲＡＭを想定している。メモリ４０４は、適切な場合には、１つまたは複数のメモリ４０４を含むことができる。本開示は、特定のメモリについて記述し、示しているが、本開示は、任意の適切なメモリを想定している。
【００４７】
特定の実施形態においては、ストレージ４０６は、データまたは命令のためのマス・ストレージを含む。限定ではなく、例として、ストレージ４０６は、ハード・ディスク・ドライブ（ＨＤＤ）、フロッピー（登録商標）・ディスク・ドライブ、フラッシュ・メモリ、光ディスク、光磁気ディスク、磁気テープ、またはユニバーサル・シリアル・バス（ＵＳＢ）ドライブ、またはこれらのうちの複数の組合せを含むことができる。ストレージ４０６は、適切な場合には、取り外し可能なまたは取り外し不能な（すなわち、固定された）媒体を含むことができる。ストレージ４０６は、適切な場合には、コンピュータ・システム４００の内部または外部に存在することが可能である。特定の実施形態においては、ストレージ４０６は、不揮発性のソリッドステート・メモリである。特定の実施形態においては、ストレージ４０６は、読み取り専用メモリ（ＲＯＭ）を含む。適切な場合には、このＲＯＭは、マスクプログラムＲＯＭ、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、電気的書替え可能ＲＯＭ（ＥＡＲＯＭ）、またはフラッシュ・メモリ、またはこれらのうちの複数の組合せであることが可能である。本開示は、任意の適切な物理的な形態を取るマス・ストレージ４０６を想定している。ストレージ４０６は、適切な場合には、プロセッサ４０２とストレージ４０６との間における通信を容易にする１つまたは複数のストレージ・コントロール・ユニットを含むことができる。適切な場合には、ストレージ４０６は、１つまたは複数のストレージ４０６を含むことができる。本開示は、特定のストレージについて記述し、示しているが、本開示は、任意の適切なストレージを想定している。
【００４８】
特定の実施形態においては、Ｉ／Ｏインタフェース４０８は、コンピュータ・システム４００と１つまたは複数のＩ／Ｏデバイスとの間における通信のための１つまたは複数のインタフェースを提供するハードウェア、ソフトウェア、またはその両方を含む。コンピュータ・システム４００は、適切な場合には、これらのＩ／Ｏデバイスのうちの１つまたは複数を含むことができる。これらのＩ／Ｏデバイスのうちの１つまたは複数は、人とコンピュータ・システム４００との間における通信を可能にすることができる。限定ではなく、例として、Ｉ／Ｏデバイスは、キーボード、キーパッド、マイクロフォン、モニタ、マウス、プリンタ、スキャナ、スピーカ、スチル・カメラ、スタイラス、タブレット、タッチ・スクリーン、トラックボール、ビデオ・カメラ、別の適切なＩ／Ｏデバイス、またはこれらのうちの複数の組合せを含むことができる。Ｉ／Ｏデバイスは、１つまたは複数のセンサを含むことができる。本開示は、任意の適切なＩ／Ｏデバイス、およびそれらのＩ／Ｏデバイスのための任意の適切なＩ／Ｏインタフェース４０８を想定している。適切な場合には、Ｉ／Ｏインタフェース４０８は、プロセッサ４０２がこれらのＩ／Ｏデバイスのうちの１つまたは複数を駆動することを可能にする１つまたは複数のデバイス・ドライバまたはソフトウェア・ドライバを含むことができる。Ｉ／Ｏインタフェース４０８は、適切な場合には、１つまたは複数のＩ／Ｏインタフェース４０８を含むことができる。本開示は、特定のＩ／Ｏインタフェースについて記述し、示しているが、本開示は、任意の適切なＩ／Ｏインタフェースを想定している。
【００４９】
特定の実施形態においては、通信インタフェース４１０は、コンピュータ・システム４００と、１つもしくは複数のその他のコンピュータ・システム４００または１つもしくは複数のネットワークとの間における通信（たとえば、パケットベースの通信など）のための１つまたは複数のインタフェースを提供するハードウェア、ソフトウェア、またはその両方を含む。限定ではなく、例として、通信インタフェース４１０は、イーサネット（登録商標）もしくはその他の有線ベースのネットワークと通信するためのネットワーク・インタフェース・コントローラ（ＮＩＣ）もしくはネットワーク・アダプタ、またはＷＩ−ＦＩネットワークなどのワイヤレス・ネットワークと通信するためのワイヤレスＮＩＣ（ＷＮＩＣ）もしくはワイヤレス・アダプタを含むことができる。本開示は、任意の適切なネットワーク、およびそのネットワークのための任意の適切な通信インタフェース４１０を想定している。限定ではなく、例として、コンピュータ・システム４００は、アド・ホック・ネットワーク、パーソナル・エリア・ネットワーク（ＰＡＮ）、ローカル・エリア・ネットワーク（ＬＡＮ）、ワイド・エリア・ネットワーク（ＷＡＮ）、メトロポリタン・エリア・ネットワーク（ＭＡＮ）、またはインターネットの１つまたは複数の部分、またはこれらのうちの複数の組合せと通信することができる。これらのネットワークのうちの１つまたは複数の１つまたは複数の部分は、有線またはワイヤレスであることが可能である。例として、コンピュータ・システム４００は、ワイヤレスＰＡＮ（ＷＰＡＮ）（たとえば、ブルートゥースＷＰＡＮなど）、ＷＩ−ＦＩネットワーク、ＷＩ−ＭＡＸネットワーク、セルラー電話ネットワーク（たとえば、グローバル・システム・フォー・モバイル・コミュニケーションズ（ＧＳＭ（登録商標））ネットワークなど）、またはその他の適切なワイヤレス・ネットワーク、またはこれらのうちの複数の組合せと通信することができる。コンピュータ・システム４００は、適切な場合には、これらのネットワークのうちの任意のネットワークのための任意の適切な通信インタフェース４１０を含むことができる。通信インタフェース４１０は、適切な場合には、１つまたは複数の通信インタフェース４１０を含むことができる。本開示は、特定の通信インタフェースについて記述し、示しているが、本開示は、任意の適切な通信インタフェースを想定している。
【００５０】
特定の実施形態においては、バス４１２は、コンピュータ・システム４００のコンポーネント同士を互いに結合するハードウェア、ソフトウェア、またはその両方を含む。限定ではなく、例として、バス４１２は、アクセラレイティッド・グラフィックス・ポート（ＡＧＰ）もしくはその他のグラフィックス・バス、エンハンスト・インダストリー・スタンダード・アーキテクチャ（ＥＩＳＡ）バス、フロントサイド・バス（ＦＳＢ）、ハイパートランスポート（ＨＴ）インターコネクト、インダストリー・スタンダード・アーキテクチャ（ＩＳＡ）バス、インフィニバンド・インターコネクト、ローピンカウント（ＬＰＣ）バス、メモリ・バス、マイクロ・チャネル・アーキテクチャ（ＭＣＡ）バス、ペリフェラル・コンポーネント・インターコネクト（ＰＣＩ）バス、ＰＣＩエクスプレス（ＰＣＩｅ）バス、シリアル・アドバンスト・テクノロジー・アタッチメント（ＳＡＴＡ）バス、ビデオ・エレクトロニクス・スタンダーズ・アソシエーション・ローカル（ＶＬＢ）バス、または別の適切なバス、またはこれらのうちの複数の組合せを含むことができる。バス４１２は、適切な場合には、１つまたは複数のバス４１２を含むことができる。本開示は、特定のバスについて記述し、示しているが、本開示は、任意の適切なバスまたはインターコネクトを想定している。
【００５１】
本明細書においては、１つまたは複数の非一時的なコンピュータ可読記憶媒体は、適切な場合には、１つもしくは複数の半導体ベースのもしくはその他の集積回路（ＩＣ）（たとえば、フィールドプログラマブル・ゲート・アレイ（ＦＰＧＡ）もしくは特定用途向け集積回路（ＡＳＩＣ）など）、ハード・ディスク・ドライブ（ＨＤＤ）、ハイブリッド・ハード・ドライブ（ＨＨＤ）、光ディスク、光ディスク・ドライブ（ＯＤＤ）、光磁気ディスク、光磁気ドライブ、フロッピー（登録商標）・ディスケット、フロッピー（登録商標）・ディスク・ドライブ（ＦＤＤ）、磁気テープ、ソリッドステート・ドライブ（ＳＳＤ）、ＲＡＭドライブ、セキュア・デジタル・カードもしくはドライブ、その他の任意の適切な非一時的なコンピュータ可読記憶媒体、またはこれらのうちの複数の組合せを含むことができる。非一時的なコンピュータ可読記憶媒体は、適切な場合には、揮発性、不揮発性、または揮発性と不揮発性の組合せであることが可能である。
【００５２】
本明細書においては、「または（もしくは）」は、包含的であり、排他的ではない（ただし、そうではないことが明示されている場合、または、そうではないことが文脈によって示されている場合は除く）。したがって、本明細書においては、「ＡまたはＢ」は、「Ａ、Ｂ、またはその両方」を意味する（ただし、そうではないことが明示されている場合、または、そうではないことが文脈によって示されている場合は除く）。その上、「および（ならびに）」は、包括的および個別的の両方である（ただし、そうではないことが明示されている場合、または、そうではないことが文脈によって示されている場合は除く）。したがって、本明細書においては、「ＡおよびＢ」は、「まとめて、または個別に、ＡおよびＢ」を意味する（ただし、そうではないことが明示されている場合、または、そうではないことが文脈によって示されている場合は除く）。
【００５３】
本開示の範囲は、当技術分野における標準的な技術者が理解するであろう、本明細書において記述されているまたは示されている例示的な実施形態に対するすべての変更、置換、変形、改変、および修正を包含する。本開示の範囲は、本明細書において記述されているまたは示されている例示的な実施形態に限定されない。その上、本開示は、本明細書におけるそれぞれの実施形態を、特定のコンポーネント、要素、機能、オペレーション、または工程を含むものとして記述し、示しているが、これらの実施形態のいずれも、当技術分野における標準的な技術者が理解するであろう、本明細書の任意の箇所において記述されているまたは示されているコンポーネント、要素、機能、オペレーション、または工程のうちの任意のものの任意の組合せまたは順列を含むことができる。さらに、特定の機能を実行するように適合されている、実行するようにアレンジされている、実行することができる、実行するように構成されている、実行することを可能にされている、実行するように機能できる、または実行するように機能する装置もしくはシステム、または装置もしくはシステムのコンポーネントへの添付の特許請求の範囲における言及は、その装置、システム、コンポーネント、またはその特定の機能が、アクティブ化されているか否か、オンにされているか否か、またはロック解除されているか否かを問わず、その装置、システム、またはコンポーネントが、そうするように適合されている、そうするようにアレンジされている、そうすることができる、そうするように構成されている、そうすることを可能にされている、そうするように機能できる、またはそうするように機能する限り、その装置、システム、コンポーネントを包含する。
【図１】
0006055122.tif 000002
【図２】
0006055122.tif 000003
【図３】
0006055122.tif 000004
【図４】
0006055122.tif 000005